(57)【特許請求の範囲】
【請求項１】
耐火性シートからなるシャッターカーテンに耐火性シートの扉が設けられ、前記扉の一方の側端部は、隣合う耐火性シートと連続或いは連結し、前記扉の下端部は、前記扉が連続或いは連結して隣合う耐火性シートの下端部と自在継ぎ手によって結合されるとともに、
前記扉の他方の側端部は、隣合う耐火性シートと連続或いは連結せず、シャッターカーテンと同様な耐火性シートからなるカバーが、前記扉の他方の側端部を被覆するように形成され、扉の開閉を規制し、前記規制は前記扉の上端より下端が弱いことを特徴とする防火防煙シャッター。
【請求項２】
シャッターカーテンおよび扉の下端部には、重りが取り付けられ、前記扉の下端部の重りは、前記扉が連続或いは連結して隣合う耐火性シートの下端部と自在継ぎ手によって結合されていることを特徴とする請求項１記載の防火防煙シャッター。
【請求項３】
扉の上端部が固定されていることを特徴とする請求項１又は２記載の防火防煙シャッター。
【請求項４】
扉の下端部の重りがシャッターカーテンの下端部の重りに固定される機構を備えていることを特徴とする請求項１，２又は３記載の防火防煙シャッター。
【請求項５】
扉の他方の側端部が、隣合う耐火性シートの側端部と互いに重ね合わされていることを特徴とする請求項１，２，３又は４記載の防火防煙シャッター。
【発明の詳細な説明】
【０００１】
【発明の属する技術分野】
本発明は、避難口を有する耐火性シートを用いた防火防煙シャッターに関するものである。
【０００２】
【従来の技術】
建築物内の通路などには、火災時に炎や高温ガス、さらに煙などを遮蔽するための防火防煙シャッターが設けられている。
【０００３】
従来、防火防煙シャッターとしては、金属製のスラットを用いたものが一般的に知られているが、近時、ガラスクロスやシリカクロスなどの耐火性シートを用いた防火防煙シャッターが知られており、例えば、特開平９−２０６３９４号公報に開示されている。
【０００４】
耐火性シートを用いた防火防煙シャッターは、次のような特徴がある。
▲１▼  全体の重量が軽く施工し易いこと。
▲２▼  施工現場を選択するのに自由度が高いこと。
▲３▼  収納状態での専有体積が小さいこと。
▲４▼  大面積のものを容易に得ることができること。
▲５▼  建築物内部のデザインに対する整合性が高いこと。
【０００５】
一方、防火防煙シャッターには、逃げ遅れた人が通過できるような避難口（非常口）が必要とされている。上記した特開平９−２０６３９４号公報には、シャッター面にスリットを設けた構造の避難口が開示されている。このスリットを利用した避難口は、構造が簡単であり、また、避難者の通過も容易であるという特徴がある。
【０００６】
しかしながら、上記する単なるスリットを設けただけの構造では、例えば、火災時に防火防煙シャッターに圧力が加わると、炎や高圧ガス或いは煙がスリット部分を通って流れてしまい、防火防煙シャッターの本来の機能である炎や高温ガス、煙などの遮蔽機能が損なわれることになる。
【０００７】
【発明が解決しようとする課題】
本発明は、このような観点から避難口における通過の容易性と防火防煙シャッターに要求される遮蔽機能とを両立させた構造の避難口を備える防火防煙シャッターを提供することを課題とするものである。
【０００８】
具体的には、耐火性シートを用いた防火防煙シャッターに避難口を設けたことにより、本発明の解決課題は、次の通りである。
▲１▼  スムースに避難口の通過ができること。
▲２▼  避難口の非利用時における遮蔽性の低下が少ないこと。
▲３▼  避難口の利用後に避難口が自動的に閉鎖されること。
▲４▼  簡単な構造でシャッター全体が巻き取られて収納できること。
【０００９】
【課題を解決するための手段】
本発明の第１の発明は、耐火性シートからなるシャッターカーテンに耐火性シートの扉が設けられ、前記扉の一方の側端部は、隣合う耐火性シートと連続或いは連結し、前記扉の下端部は、前記扉が連続或いは連結して隣合う耐火性シートの下端部と自在継ぎ手によって結合されるとともに、前記扉の他方の側端部は、隣合う耐火性シートと連続或いは連結せず、シャッターカーテンと同様な耐火性シートからなるカバーが、前記扉の他方の側端部を被覆するように形成され、扉の開閉を規制し、前記規制は前記扉の上端より下端が弱いことを特徴とするものである。
【００１０】
第２の発明は、シャッターカーテンおよび扉の下端部には、重りが取り付けられ、前記扉の下端部の重りは、前記扉が連続或いは連結して隣合う耐火性シートの下端部と自在継ぎ手によって結合されていることを特徴とするものである。第３の発明は扉の上端部が固定されていることを特徴とし、第４の発明は、扉の下端部の重りがシャッターカーテンの下端部の重りに固定される機構を備えていることを特徴とするものである。
【００１１】
第５の発明は、扉の他方の側端部が、隣合う耐火性シートの側端部と互いに重ね合わされていることを特徴とするものである。
【００１２】
【発明の実施の形態】
本発明の実施形態を図面を参照して説明する。図１は、本発明に係る避難口を設けた防火防煙シャッターを示す説明用正面図、図２は、同説明用側面図、図３は、扉の係合部材と係止部材を省略したシャッターカーテンの重りの係合状態を示す説明用断面図、図４は、扉とカバーの関係を示す説明用断面図、図５は、避難口の開放状態を示す防火防煙シャッターの説明用正面図、図６は、シャッターカーテンの開閉状態を示す説明用断面図、図７は、足踏み板の取り付け状態を示す説明図である。
【００１３】
図１及び図２において、防火防煙シャッターを構成するシャッターカーテン１は、耐火性シート２ａ，２ｂと中間部に配した耐火性シートからなる扉３とで構成されている。しかし、耐火性シート２ａ，２ｂは、２枚に限定されず、複数枚で構成できる。
【００１４】
耐火性シート２ａ，２ｂ及び耐火性シートで構成される扉３は、シリカクロスやガラスクロス、ステンレス鋼線で編んだクロス、その他耐火性材料の繊維でなるクロスなどから選ばれたものを用いることができる。
【００１５】
扉３は、上記するように耐火性シート２ａ，２ｂの中間に配してあり、避難口４を構成するもので、扉３の一方の側端部３ａと隣合う耐火性シート２ａの側端部２ｃとは、連続し、或いは縫い合わせや接着５などにより連結され、扉３の他方の側端部３ｂと隣合う耐火性シート２ｂの側端部２ｄとは、互いに重ね合わせた重ね合わせ部６としてある。
【００１６】
そして、耐火性シート２ａ，２ｂと扉３の耐火性シートの上端部２ｅ，２ｅ，３ｃは、シャフト７に固定されて巻き取られるように構成されている。また、これら耐火性シート２ａ，２ｂと扉３の下端部２ｆ，２ｇ，３ｄは、互いに連結されずにフリーな状態に構成されているので、扉３は、耐火性シート２ａ側の側端部３ａと上端部３ｃとが束縛された片開き構造となっている。
【００１７】
シャッターカーテン１の下端部には、重り１０となる細長い座板１１が設けられている。火災時に、シャッターカーテン１は、重り１０によって上記シャフト７に巻き取られた状態から巻き解かれて下降する。この重り１０は、シャッターカーテン１が下降して防火防煙シャッターとしての機能と共に、シャッターカーテン１のまくれあがりなどを防ぐ機能がある。
【００１８】
上記するように扉３の上端部３ｃは、シャフト７に固定され、その下端部３ｄは、図３に示すように上記重り１０と分離される重り１２が設けられている。この重り１２は、耐火性シート２ａの側端部２ｃ側の下端部２ｆと自在継ぎ手１３によって結合され、また、扉３の両下端部においてロック機構１４を有する固定手段によって重り１０と係合されている。
【００１９】
このロック機構１４は、踏み板１５を踏むことによって解除され、その状態で扉３を前方に押すことにより扉３は、自在継ぎ手１３を支点として、重り１２を動かすことができ、その下端部３ｄ側が大きく開放され、図５に示すように片開き構造の避難口４が形成される。
【００２０】
ロック機構１４の構造を図６により説明する。図６は、シャッターカーテンの開閉状態を示す説明用断面図であり、図６（ａ）は、扉の閉鎖時の状態を示し、図６（ｂ）は、扉の開放時の状態を示している。
扉３の下端部には、上記重り１２と共にカーテン側に係合部材２０が取り付けられている。係合部材２０は、シャッターカーテン１の外面側（避難側）の固着板２３と、内面側（遮蔽側）へと移動させられる係合板２２とで形成される断面Ｌ字状の係合金具２１、及び固着板２３の反対側に付設される磁性板２５とにより形成されている。また、係合板２２には、係合孔２４が開設されている。
【００２１】
この重り１２は、上記するように重り１０と係合されている。つまり、図６に示す重り１０は、シャッターカーテン１の下降時に床面Ｙに立設される座板１１と係止部材４０などにより構成されている。そして、重り１０は、シャッターカーテン１の下端部の長手方向全体に設けられ、扉３において重り１２と係合し合うようになっている。座板１１は、断面長方形状の金属製フラットバーなどで形成され、その一側面には、シャッターカーテン１の下端部に付設された磁性板２５と吸着し合う磁性板３１が取り付けられているが、この磁性板３１は、必ずしも必要なものではないが、あれば好ましい。
【００２２】
一方、座板１１の他側面には、上記係合部材２０と係合し合って重り１０と重り１２のロック状態を保つ係止部材４０が配設されている。係止部材４０は、座板１１の上方部に取り付けられ、かつ上下方向に挿通孔４１ａが開設されたガイド筒４１と、挿通孔４１ａに対して係止片４３が上下動可能に挿通される係止金具４２と、係止金具４２と床面Ｙとの間に介在されて係止金具４２を上方に付勢するスプリング４４とにより形成されている。なお、４５は、ガイド筒４１のカバー板である。
【００２３】
この係止金具４２には、踏み板１５が連動させてあり、詳しくは、踏み板１５の上下動に伴って係止金具４２が上下動するように、踏み板１５は、装着用板５１に蝶番５３を介して折り曲げ自在に足載せ板５２を結合させてある。図７は、足踏み板の取り付け状態を示す説明図であり、図７（ａ）は、閉鎖時の取り付け状態を示し、図７（ｂ）は、開放時の取り付け状態を示している。
【００２４】
閉鎖時の足踏み板１５は、図７（ａ）に示すように、装着用板５１が座板１１と係止金具４２との間に挿嵌され、足載せ板５２の開孔５２ａに座板１１より突出する突起部３２が掛り止められて立設状態となっている。
即ち、シャッターカーテン１が、シャフト７に巻き取られている状態、またはシャフト７から下降してくる途中の状態においては、踏み板１５は、座板１１に掛り止めされている。
【００２５】
開放時には、足載せ板５２は、床面Ｙへと人が足載せ板５２を足踏みできる状態となる。この際、開孔５２ａと突起部３２との掛り止めは外される。また、この状態での係止金具４２は、スプリング４４により上方へ付勢され押し上げられている。
【００２６】
シャッターカーテン１が下降した状態では、シャッターカーテン１の下端部の磁性板２５と座板１１の磁性板３１とが吸着されている。この状態では、シャッターカーテン１の係合金具２１における係合板２２は、座板１１を越えて係止金具４２の係止片４３の先端部に摺接され、係合板２２の係合孔２４に係止片４３の先端部が没入し、係合金具２１と係止金具４２とはロック状態となっている。
【００２７】
このロック状態を解除するには、足踏み板１５を倒し、足載せ板５２を踏み込むと、加わる重圧により踏み板１５が係止金具４２を押し下げられ、スプリング４４は圧縮され、係止片４３がガイド筒４１の挿通孔４１ａの内を下降する。
このため、係止片４３の先端部は、係合孔２４より外れ、重り１２は重り１０との係合状態が解除され、扉３は開放可能となり、図５に示すように片開き構造の避難口４が形成される。
【００２８】
避難口４を開放した後、扉３から手を放すと、重り１２の自重によって、自在継ぎ手１３を支点として元の状態に戻り、重り１０と重り１２との係合状態が回復し、扉３はロック機構１４により閉鎖状態にロックされ、防火防煙シャッターの遮蔽性を維持できる。
【００２９】
上記する扉３の側端部３ｂと耐火性シート２ｂの側端部２ｄとの重ね合わせ部６には、この重ね合わせ部６を含め扉３の一部を覆う耐火性シートからなる細長状のカバー１７が設けられている。このカバー１７は、扉の開閉を規制し、前記規制は扉の上端より下端が弱くなっている。また、カバー１７の上端部１７ａがシャフト７に固定され、シャッターカーテン１と一体化されて巻き取られるようになっている。
【００３０】
図１及び図５に示すカバー１７は、上記するように耐火性シートからなり、上端に向かう程漸次その幅が広がる細長状のテーパー形状１７ｃに形成されており、図４に示すように扉３の閉鎖時において、カバー１７と扉３が密に重なり合って、扉３が耐火性シート２ｂとカバー１７に挟み込まれるような状態を維持できる。このため、火災時に風圧などによって、バタツキやまくれあがり易い扉３を押さえ込み、扉３の閉鎖状態における防火防煙シャッターの遮蔽性の低下を抑制している。
【００３１】
また、このカバー１７は、下端側が幅狭状に形成されているので、扉３を押して開放して避難口４として人が避難する際、扉３を開け易く、しかも人の通過の妨げにならないものである。
さらに、扉３が開放されて避難口４として使用した後、上記するように重り１２の作用により、扉３が自動的に閉鎖する際、このカバー１７は、扉３の閉まろうとする動きの妨げにもならない。
【００３２】
即ち、扉３が自動的に閉まろうとする際、上記自在継ぎ手１３を支点として重り１２が、矢印と逆方向に回転するように動く。この場合、カバー１７の下端部が幅広であると、この幅広部が扉３と耐火性シート２ｂとの間に挟まり、扉３の戻りの動きが邪魔され、扉３は、半開きの状態となり、防火防煙シャッターの遮蔽性が大きく損なわれる。
【００３３】
しかし、このカバー１７は、下端側程幅狭状に形成されているので、重り１２の回転運動が妨げられず、自動的な扉３の閉鎖運動は、スムースに行われる。
特に、重要なことは、重り１２の回転する軌跡上にカバー１７が存在しないことである。扉３自体が、柔軟性のある耐火性シートで構成されているので、扉３の動きは、重り１２の動きにほぼ拘束される。従って、このような構成のカバー１７によれば、重り１２の動きは直接邪魔になることがなく、開放された扉３は自動的にしかもスムースに閉鎖される。また、閉鎖時にカバー１７が巻き込まれることもなくなる。
【００３４】
扉３が閉鎖する際、扉３の耐火性シートとカバー１７の耐火性シートとの接触は、上端から下端に向かって進行する。この際、下端部程カバー１７が、扉３の内側に巻き込まれる可能性が高くなる。しかし、このカバー１７は、下端側程幅狭状に形成されているので、カバー１７の巻き込まれる可能性を低くできる。
【００３５】
このように扉３が自動的に閉まり易く、しかも扉３の閉鎖状態における遮蔽性が極めて高い構造を得ることができ、扉３の存在による防火防煙シャッターの遮蔽性の低下はない。
【００３６】
図示省略してあるが、扉３とカバー１７との密着性を高めるために、磁石や面ファスナーによる固定手段を併設してもよい。また、扉３は、ロック機構１４として、踏み板１５を踏む込むことによって、重り１２が重り１０から解除される構成としてあるが、扉３の固定手段として、磁石や面ファスナーを用いることができる。
【００３７】
カバー１７の形状は、図示省略するが、上記形状の他に曲線状のテーパー形状１７ｃや段階的に扉３との重なり面積が変化する形状、これらを組み合わせた形状など多様な形状を採用することができる。また、カバー１７と扉３との重なり面積の変化は、単純な増加或いは減少する形状に必ずしも限定されない。換言すれば、下端部においては、相対的にカバー１７と扉３との重なり面積が小さく、上端部においては、相対的にカバー１７と扉３との重なり面積が大きい形状であれば、本発明が目的とする効果を得ることができる。
【００３８】
なお、図示省略するが、扉３を２つ並べて設け、双方向に通過可能な避難口４を２つ構成することができる。この場合、一方の扉３は、隣合う耐火性シート２ａと上記する片開き構造とし、他方の扉３は、隣合う耐火性シート２ｂと同様に上記する片開き構造とするとよく、また、隣合う扉３，３には、逆台形状のカバー１７を重ね合わせるように構成するなど本発明に開示した手段を適宜採用するとよい。
【００３９】
【発明の効果】
本発明によれば、火災時に扉を開放することにより避難口が簡易に構成でき、かつ防火防煙シャッターに要求される遮蔽機能を有するシャッターカーテンが得られる。
【００４０】
本発明の効果を具体的に説明すると、スムースに避難口の通過ができること、避難口の非利用時における遮蔽性の低下が少ないこと、避難口の利用後に避難口が自動的に閉鎖されること、簡単な構造でシャッター全体が巻き取られて収納できることなど幾多の効果が得られる。
【図面の簡単な説明】
【図１】本発明に係る避難口を設けた防火防煙シャッターを示す説明用正面図。
【図２】同説明用側面図。
【図３】扉の係合部材と係止部材を省略したシャッターカーテンの重りの係合状態を示す説明用断面図。
【図４】扉とカバーの関係を示す説明用断面図。
【図５】避難口の開放状態を示す防火防煙シャッターの説明用正面図。
【図６】シャッターカーテンの開閉状態を示す説明用断面図。
【図７】足踏み板の取り付け状態を示す説明図。
【符号の説明】
１          シャッターカーテン
２ａ，２ｂ  耐火性シート
３          扉
３ｂ        扉の側端部
１７        カバー
【図１】
0003595486.tif 000002
【図２】
0003595486.tif 000003
【図３】
0003595486.tif 000004
【図４】
0003595486.tif 000005
【図５】
0003595486.tif 000006
【図６】
0003595486.tif 000007
【図７】
0003595486.tif 000008